(57)【要約】      （修正有）【課題】複数の作業者にとって最適な環境に設定する最適環境設定システムを提供する。【解決手段】複数人の作業者が使用する加工機械２を各作業者Ｐにとって最適な環境に設定する最適環境設定システムであって、作業者Ｐの個人情報が予め記憶された個人情報記憶部と作業者Ｐにとって加工機械２の最適環境設定情報が予め記憶された設定個人情報記憶部とを有するカード３と、加工機械２に設けられてカード３に記憶された個人情報と最適環境設定情報とを読み取ると共に加工機械２での作業実績をカード３に書き込み可能なデータ読み取り書き込み部と、加工機械２に設けられてこのデータ読み取り書き込み部で読み取られた個人情報と最適環境設定情報とに基づいて加工機械２の環境を設定する環境設定部とを備えていることを特徴とする。【選択図】図２
2012212375.tif 000002
【特許請求の範囲】
【請求項１】
複数人の作業者が使用する加工機械を各作業者にとって最適な環境に設定する最適環境設定システムであって、
作業者の個人情報が予め記憶された個人情報記憶部と作業者にとって加工機械の最適環境設定情報が予め記憶された設定個人情報記憶部とを有するカードと、
前記加工機械に設けられて前記カードに記憶された前記個人情報と前記最適環境設定情報とを読み取ると共に加工機械での作業実績をカードに書き込み可能なデータ読み取り書き込み部と、
前記加工機械に設けられてこのデータ読み取り書き込み部で読み取られた前記個人情報と前記最適環境設定情報とに基づいて加工機械の環境を設定する環境設定部とを備えていることを特徴とする最適環境設定システム。
【請求項２】
請求項１記載の作業者の最適環境設定システムであって、
前記カードには、前記加工機械が行った作業内容を記憶する作業実績記憶部を有することを特徴とする最適環境設定システム。
【請求項３】
請求項１又は請求項２記載の作業者の最適環境設定システムであって、
前記個人情報は、作業者の身体的情報であり、
前記設定個人情報は、加工機械が有する表示画面の操作面高さ、表示画面の表示文字の大きさ、テンキーの位置の情報を記憶することを特徴とする最適環境設定システム。
【発明の詳細な説明】
【技術分野】
【０００１】
本発明は、複数の人間によって使用される加工機を使用する作業者にとって最適な環境に設定する最適環境設定システムに関する。
【背景技術】
【０００２】
一台の工作機械を一人の作業者が専用に用いる場合には、専用に用いる作業者にとって最適な使用環境に工作機械をセッティングしておけば、作業者はいつでも最適な使用環境で工作機械を使用することができる。
【０００３】
しかし、一台の工作機械を複数の作業者がそれぞれ使用する場合は、工作機械で作業をする前に、作業者は自身が使いやすいように、工作機械のセッティングを行う。例えば、ＮＣ工作機械等では、ＮＣ画面の操作高さ、画面の文字の大きさ、テンキーの位置、画面の明るさ、作業位置における照明の明るさ、画面の配色、音声ガイダンスの大きさ、空調、作業台の高さ、自身が着座する座席の高さ、工作機械の動作速度等を使用する作業者にとって最適となるようにセッティングする。
【０００４】
そして、工作機械を使用する前に、作業者にとって最適な使用環境に工作機械をセッティングすることにより、快適で安全な作業を行うことができる。
【先行技術文献】
【特許文献】
【０００５】
【特許文献１】特開２００３−５８２０４号公報
【発明の概要】
【発明が解決しようとする課題】
【０００６】
しかしながら、工作機械による作業を開始する前に、工作機械の使用環境を一一自身にとって最適な環境にセッティングしていると、実際の作業時間に加えて、セッティングのための時間が必要となりトータルの作業時間数が長くなってしまう。
【０００７】
また、一台の工作機械のセッティングを使用するたびに繰り返し行う場合、同様なセッティングができず、セッティングの状態にばらつきが生じる。このため快適で安全な作業を常に行うことができないおそれがある。
【０００８】
そこで、本発明は、複数の作業者が一台の工作機械を共用して使用する場合に、セッティングが容易で、セッティングにばらつきが生じることがなく、複数の作業者にとって最適な使用環境に設定することができる最適環境設定システムの提供を目的とする。
【課題を解決するための手段】
【０００９】
本発明は、上記の課題を解決するために、請求項１の発明では、複数人の作業者が使用する加工機械を各作業者にとって最適な環境に設定する最適環境設定システムであって、作業者の個人情報が予め記憶された個人情報記憶部と作業者にとって加工機械の最適環境設定情報が予め記憶された設定個人情報記憶部とを有するカードと、前記加工機械に設けられて前記カードに記憶された前記個人情報と前記最適環境設定情報とを読み取ると共に加工機械での作業実績をカードに書き込み可能なデータ読み取り書き込み部と、前記加工機械に設けられてこのデータ読み取り書き込み部で読み取られた前記個人情報と前記最適環境設定情報とに基づいて加工機械の環境を設定する環境設定部とを備えていることを特徴とする。
【００１０】
また、請求項２の発明は、請求項１記載の最適環境設定システムであって、前記カードには、前記加工機械が行った作業内容を記憶する作業実績記憶部を有することを特徴とする。
【００１１】
さらに、請求項３の発明は、請求項１又は請求項２記載の最適環境設定システムであって、前記個人情報は、作業者の身体的情報であり、前記設定個人情報は、加工機械が有する表示画面の操作面高さ、表示画面の表示文字の大きさ、テンキーの位置であることを特徴とする。
【発明の効果】
【００１２】
本発明は、作業者が代わった場合であっても、カードを加工機械に接続することで、複数の作業者の作業内容に最適な環境を表示し、表示手段の表示に従って加工機械の使用環境を変更することで作業者にとって最適な環境に設定することができる。
【００１３】
また、繰り返し使用環境を設定してもばらつくことがない。従って、快適で安全な作業を行うことができる。
【図面の簡単な説明】
【００１４】
【図１】本発明の最適環境設定システムの簡略図。
【図２】本発明の加工機械とカードを簡略に示した図。
【図３】本発明の最適環境設定システムの手順を示した図。
【発明を実施するための形態】
【００１５】
以下、本発明の実施の形態について、説明する。
【実施例１】
【００１６】
本発明において最適環境設定システムは、複数人の作業者が使用する加工機械２と作業者の情報を予め記憶したカード３からなっている。
【００１７】
加工機械２は、材料を所望の形状に加工する機械本体４と、加工機械２に近接して接続配置された制御部５とからなっている。
【００１８】
機械本体４は、作業者Ｐが材料を所望の形状に加工する加工機で、制御部５が近接して接続配置されている。
【００１９】
制御部５は、制御部５に電源を供給するための電源スイッチ６と後述するカード３が挿入されるデータ読み取り書き込み部７とデータ読み取り書き込み部７にて読み込んだ情報に基づいて加工機械２の環境を設定する環境設定部とからなっている。
【００２０】
データ読み取り書き込み部７は、制御部５に設けられて、後述するカード３がカード挿入口１３から挿入されてカード３に記憶された作業者Ｐの情報を読み取っている。このカード３に記憶された作業者Ｐの情報を環境設定部８の表示画面９に表示することで、作業者Ｐが最適な環境を視認することができる。また、表示画面９にタッチパネルを使用することで、表示された情報から作業者Ｐが必要とする情報を適宜選択することができる。
【００２１】
データ読み取り書き込み部７に挿入されるカード３は、作業者Ｐの身体的情報を記憶する個人情報記憶部１０と作業者Ｐが作業するのに最適な環境を記憶する設定個人情報記憶部１１と作業者Ｐが加工機械２にて行った作業内容を記憶する作業実績記憶部１２とからなっている。
【００２２】
個人情報記憶部１０は、加工機械２で作業する作業者Ｐの身長、体重などの身体的情報を記憶している。
【００２３】
設定個人情報記憶部１１は、環境設定部８が有する表示画面９の高さ、表示画面９に表示される文字の大きさ、テンキーの位置などの作業者Ｐにとって最適な環境の情報を記憶している。
【００２４】
このように、個人情報記憶部１０と設定個人情報記憶部１１に記憶された作業者Ｐの身体的情報に基づいて表示画面９に表示する操作面の高さ、文字の大きさやテンキーの位置の変更を指示する。
【００２５】
作業実績記憶部１２は、作業者Ｐが加工機械２にて行った作業内容を記憶する。このように作業者Ｐが加工機械２にて行った作業内容を記憶させることで、次に同じ加工を行う場合、カード３をデータ読み取り書き込み部７に挿入し、最適な環境を表示画面に表示することができる。
【００２６】
次に、本発明の最適環境設定システム１の動作について図３を用いて説明する。
【００２７】
まず、Ｓ１にて制御部５に設けられた電源スイッチ６の電源をＯＮにする。次に、Ｓ２にて個人情報記憶部１０、設定個人情報記憶部１１などの作業者Ｐの情報を入力したカード３を制御部５に設けられたデータ読み取り書き込み部７に挿入する。
【００２８】
Ｓ３にて、データ読み取り書き込み部７に挿入されたカード３に入力された作業者Ｐの個人情報をデータ読み取り書き込み部７が読み取る。Ｓ４にて、カード３に入力された作業者Ｐの設定個人情報をデータ読み取り書き込み部７が読み取る。
【００２９】
Ｓ５にて、環境設定部８がデータ読み取り書き込み部７にて読み込んだ作業者Ｐの情報に基づいて加工機械２の環境を設定し、表示画面９に最適な環境を表示する。
【００３０】
Ｓ６にて、データ読み取り書き込み部７が作業者Ｐが行う作業内容を作業実績記憶部１２に情報を記憶する。
【００３１】
Ｓ７にて、作業者Ｐが作業を継続する場合は、Ｓ６に戻り、作業者Ｐが行う作業内容を作業実績記憶部１２に情報を記憶する。また、作業者Ｐの作業が終了する場合は、Ｓ８にてカード３を取り出し、作業者Ｐの作業を終了させる。
【００３２】
このように構成することで、作業者が代わった場合であっても、カードを加工機械に接続することで、複数の作業者の作業内容に最適な環境を表示し、表示手段の表示に従って加工機械の仕様を変更することで作業者にとって最適な環境に設定することができる。また、作業者が行う作業内容を作業実績記憶部に記憶することで、作業者の作業によって最適な環境を表示することができる。
【００３３】
なお、本発明で説明する加工機械は、板金加工機械（ベンディング、パンチング、レーザー複合機、シャーリングマシン）、旋盤、歯切り盤、ボール盤、中ぐり盤、フライス盤、研削盤、放電加工機、ブローチ盤、ウォータージェット加工機、レーザー加工機、電子ビーム加工機、ホーニング加工機、電解加工機、裁断機等の工作機を示している。
【００３４】
また、本実施例では、カードをデータ読み取り書き込み部に接続する構成となっているが、半導体集積回路（ＩＣ）をカードに埋め込んで、使用しても良い。すなわち、半導体集積回路に個人情報記憶部、設定個人情報記憶部、作業実績記憶部の情報をカードに入力し、制御部に情報を入力することによって、非接触で作業者の最適な環境の仕様情報を加工機械に伝達することもできる。
【００３５】
また、繰り返し使用環境を設定してもばらつくことがないので、快適で安全な作業を行うことができる。
【産業上の利用可能性】
【００３６】
本発明は、種々の加工機に利用することができる。
【符号の説明】
【００３７】
１  最適環境設定システム
２  加工機械
３  カード
４  機械本体
５  制御部
【図１】
2012212375.tif 000003
【図２】
2012212375.tif 000004
【図３】
2012212375.tif 000005